(57)【要約】【課題】デジタル工学技術（Digital Light Processing、ＤＬＰ）の投影装置のような装置に適用されるフィルターセット構造の提供。【解決手段】本発明のフィルターセットには中心軸、ロード、フィルターおよび複数の平衡部品が含まれている。前記のロードは複数のホールを備え、またフィルターはロード上に固定されている。ロードおよびフィルターは中心軸を中心に回転する。この他、前記平衡部品はそれぞれ前記のホールの内部に位置しており、平衡部品がホールの中に位置しているということにより、フィルターセットの全体が前記の中心軸上に位置することが可能である。【選択図】図２
2005148693.tif 000002
【特許請求の範囲】
【請求項１】
中心軸を備え、前記中心軸を中心に回転するフィルターセットであって、
複数のホールを含むロード、
前記ロード上に固定され、前記ロードと共に中心軸のまわりを回転するフィルター、
前記ホール内にそれぞれ位置し、前記ホール内におけるその位置を調整することによって前記フィルターセットの質量中心を前記中心軸上に位置させる平衡部品を含むフィルターセット。
【請求項２】
前記ホールの方向は前記中心軸に向かって伸びており、前記フィルターと平行である請求項１記載のフィルターセット。
【請求項３】
前記ホールは前記中心軸と対称に設置される請求項１記載のフィルターセット。
【請求項４】
前記ホール内は前記平行部品を前記ホール内にて移動させるためのねじ山が備えられている請求項１記載のフィルターセット。
【請求項５】
前記フィルターセット全体の質量中心が前記中心軸上にあるとき、粘着剤を利用して前記平行部品の位置を固定する請求項１記載のフィルターセット。
【請求項６】
請求項１記載のフィルターセット、および
前記中心軸上に位置し、駆動モーターおよび前記ロードを接続する枢軸、
前記フィルターセットと結合した枢軸を含み、前記枢軸は前記フィルターセットの中心軸と同軸であり、前記枢軸により前記フィルターセットを回転させる駆動モーターを含むカラーホイール。
【請求項７】
前記ホールの方向は前記中心軸に向かって伸びており、前記フィルターと平行である請求項６記載のカラーホイール。
【請求項８】
前記ホールは前記中心軸と対称に設置される請求項６記載のカラーホイール。
【請求項９】
前記ホール内には前記平行部品を前記ホール内にて移動させるためのねじ山が備えられている請求項６記載のカラーホイール。
【請求項１０】
前記フィルターセット全体が前記中心軸上にあるとき、粘着剤を利用して前記平行部品の位置を固定する請求項６記載のカラーホイール。
【発明の詳細な説明】
【技術分野】
【０００１】
本発明はフィルターセットに関し、特に構造が簡易で調整がしやすく、同時にそれを回転した際の平衡性、安定性が高められるフィルターセット構造に関するものである。この他に、フィルターセットおよび駆動駆動モーターを含むカラーホイールにも関する。
【背景技術】
【０００２】
まず図１(ａ)および図１(ｂ)の２図は、従来のフィルターセット構造を示す図である。図に示されるように、従来のフィルターセット構造はロード１１、フィルターセット１２および駆動モーター２を含み、そのフィルターセット１２は粘着物１３を通過しロード１１上に粘着する。この他、枢軸２２はロード１１の中央に固定され駆動モーター２に接続され、またキャップ２１はロード１１の上方を固定し、それは即ち枢軸２２および前記のロード１１を固定するということに繋がる。使用時には、前記駆動モーター２を通過し枢軸２２を駆動させて回し、またロード１１およびフィルターセット１２を中心軸１０を軸として回す。
【０００３】
その中で、図１(ｂ)に示すように、従来のフィルターセット１２は通常複数のフィルター１２ａ、１２ｂ、１２ｃから構成される。フィルターセットが中心軸１０の周りを回転するとき、回転時の安定性および平衡性を保つために、従来の方式はロード１１上方表面の削られホールが空いた凹部１８を通し、若干の質量を消去しそれにより回転の平衡性という目的を達成する。しかしながら、削られたホールまたは凹部１８の方式は質量の精度に対するコントロールが容易ではなく、また粘着物１３を加えたとき、その流動によりフィルターセット全体の質量が平均的でなくなってしまう可能性があり、よって回転時の平衡性も達成しにくく、またその際に揺れ動いてしまう可能性もある。
【発明の開示】
【発明が解決しようとする課題】
【０００４】
従来のフィルターセット構造の欠点は前記の通りであり、よって、本発明は、例えばデジタル工学技術（Digital Light Processing、ＤＬＰ）の投影装置のような装置に適用されるフィルターセット構造を提供する。本発明はロード上に複数のホールを設置し、そのホールの中にそれぞれ複数の活動できる（動作可能）平衡部品を設置し、その平衡部品のホールの中における位置を利用し、フィルターセットの全体を中心軸上に位置させ、回転時の平衡および安定性を達成する。
【課題を解決するための手段】
【０００５】
本発明はフィルターセットを提供し、それには中心軸、ロード、フィルターおよび複数の平衡部品が含まれている。前記のロードは複数のホールを備え、またフィルターはロード上に固定されている。前記ロードおよびフィルターは中心軸を中心に回転する。この他、前記平衡部品はそれぞれ前記のホールの内部に位置しており、平衡部品がホールの中に位置しているということにより、フィルターセットの全体が前記の中心軸上に位置することが可能である。
【０００６】
特に、前述のフィルターセットはさらに駆動モーターと枢軸を含んでおり、前記枢軸は中心軸上に位置し、また前記駆動モーターおよびロードに接続し、そして本発明では駆動モーターが枢軸を駆動することにより、ロードおよびフィルターは中心軸のまわりを回転する。
【０００７】
また、前記のホールが空いている方向はフィルターと平行であり、それは中心軸に向かって伸びている。そして、そのホールおよび平衡部品の表面には対応してねじ山が設置され、平衡部品はネジを回す要領で微調整が可能であり、よって平衡部品は正確にホールの内部の位置を定めることができる。
【発明の効果】
【０００８】
本発明はフィルターセット構造を提供し、前述の通りそれは投影装置（たとえば、ＤＬＰ）に適用できる。その中で、ロード上の複数のホールを通過して、活動（動作）することにより複数の平衡部品を前記ホール内部に設置し、そのホール内部の平衡部品により性格にフィルターセットの全体を中心軸上に調整することが可能になる。本発明は構造が簡単で調整しやすいだけでなく、同時にフィルターセットの回転時における平衡性、安定性も高めることが可能である。
【発明を実施するための最良の形態】
【０００９】
本発明についての目的、特徴、長所が一層明確に理解されるよう、以下に実施例を例示し、図面を参照にしながら、詳細に説明する。
【実施例１】
【００１０】
図２は、本発明のフィルターセットを示す図である。図に示されるように、本発明のフィルターセットは主に中心軸３０、ロード３１、フィルター３２および複数の平衡部品３１０ａが含まれている。
【００１１】
また、フィルター３２はロード３１上に固定されている。なお、枢軸４２はロード３１の中央に位置し、駆動モーター４と接続しており、その駆動モーター４が中心軸３０上の枢軸４２を駆動することにより、ロード３１およびフィルター３２は中心軸３０の周りを回転する。また固定部品４１はロード３１にねじ込み、接続され、またフィルター３２を抑えているので、よってロード３１およびフィルター３２がより強力に接触できる。
【００１２】
特に、ロード３１は複数のホール３１０を含んでおり、それはロード３１側の円弧表面３１１に設置されている。図２に示されるように、ホール３１０の方向は前記のフィルター３２と平行に中心軸３０に向かって伸びている。また、前記の複数の平衡部品３１０ａはそれぞれホール３１０の内部に位置しており、本発明はこのホール３１０内部の平衡部品３１０ａの位置を調整することにより、フィルターセットが中心軸３０上に位置できるようにし、回転時の平衡性と安定性とを得る。
【実施例２】
【００１３】
つぎに図３は、本発明のフィルターセットを示す別の図である。図に示されるように、４つのホール３１０はロード３１側の円弧表面３１１の４方向に設置されており、それは中心軸３０に向かって伸びている。特に、前記の平衡部品３１０ａは動く方式によりホール３１０内部荷設置されている。また、円形のフィルター３２は複数の扇形フィルター３２ａ、３２ｂ、３２ｃから構成されているが（図３表示）、これは単数のフィルターとすることができ、よってフィルターがロード３１に粘着、固定されているとき、質量が均等でなくなるという現象が起こりやすく、よって本発明は前記の平衡部品３１０ａのホール３１０内における位置を調整することによって、フィルターセットを前記の中心軸３０上に位置させ、それによりフィルターセットの回転時における平衡性、安定性を達成する。例を挙げれば、フィルターセット全体の質量が左側に傾いたとき、左側のホール３１０内の平衡部品３１０ａを右に向けて（内側に向けて）移動させ、同時に右側のホール３１０内の平衡部品３１０ａを左に向けて（外側に向けて）移動させ、それによりフィルターセット全体の質量を中心軸３０上に調整できる。同じ原理で、上側、下側の平衡部品３１０ａもまたこの方式で調整が可能であり、位置を定めた後、ホール３１０の開口部を接着剤により固め内部の平衡部品３１０ａを固定する。
【実施例３】
【００１４】
また、本発明は異なる数のホール３１０および平衡部品３１０ａを設置する必要があり、図４に示すように、ロード３１上には３つのホール３１０が設置され、その中の３個の平衡部品３１０ａはそれぞれホール３１０内に設置されており、組み合わせたときフィルターセットの平衡性を調節することによって、フィルターセットの回転時における揺れを防ぐことができる。
【００１５】
以上、本発明の好適な実施例を例示したが、これは本発明を限定するものではなく、本発明の精神および範囲を逸脱しない限りにおいては、当業者であれば行い得る少々の変更や修飾を付加することは可能である。従って、本発明が保護を請求する場合は、特許請求の範囲を基準とする。
【図面の簡単な説明】
【００１６】
【図１】従来のフィルターセットを示す図である。
【図２】本発明のフィルターセットを示す図である。
【図３】本発明のフィルターセットを示す図である。
【図４】本発明の別の実施例を示す図である。
【符号の説明】
【００１７】
１０  中心軸
１１  ロード
１２  フィルターセット
１２ａ、１２ｂ、１２ｃ  フィルター
１３  粘着剤
１８  凹部
２１  キャップ
２２  枢軸
２  駆動モーター
３０  中心軸
３１  ロード
３１０  ホール
３１０ａ  平衡部品
３１１  円弧表面
３２  フィルター
３２ａ、３２ｂ、３２ｃ  フィルター
４  駆動モーター
４１  固定部品
４２  枢軸
【図１】
2005148693.tif 000003
【図２】
2005148693.tif 000004
【図３】
2005148693.tif 000005
【図４】
2005148693.tif 000006